(57)【要約】【課題】      釣り用バッグの底部にキャリ−カ−トのフレ−ムを着脱自在に取り付けて必要に応じて釣り用バッグを単体で持ち運び可能にした釣り用バッグを提供することである。【解決手段】  外側容器体３の底部３ｂには長手方向に二条の溝からなる凹部３ｃ、３ｃと、長手方向の一方の端に凹部３ｃ、３ｃの一端と連通する凹部３ｄと、長手方向の他方の端に凹部３ｃ、３ｃの他端と連通する凹部３ｅが形成されている。  凹部３ｄと凹部３ｅの底部には夫々開口が外側に向いた固定係止具４、５が固定されている。  外側容器体３の底部３ｂの長手方向の二条の溝からなる凹部３ｃ、３ｃにはキャリ−カ−ト６の二本のフレ−ム１４、１５が納められる。【選択図】        図６
2006081525.tif 000002
【特許請求の範囲】
【請求項１】
釣り用バッグの底部に凹部を設け、該凹部にキャリ−カ−トのフレ−ムが収納されるように前記釣り用バッグの底部に前記キャリ−カ−トを着脱自在に取り付けたことを特徴とする釣り用バッグ。
【請求項２】
キャリ−カ−トのフレ−ムは伸縮自在に形成されていることを特徴とする請求項１記載の釣り用バッグ。
【請求項３】
釣り用バッグは、その上側を形成する容器体に対し、下側を形成する底部が別体に形成されて互いに止着されて形成されていることを特徴とする請求項１または２記載の釣り用バッグ。
【発明の詳細な説明】
【技術分野】
【０００１】
本発明は、魚釣り等のレジャ−に用いる釣り用バッグに関する。
【背景技術】
【０００２】
従来から釣りに行く時に家から釣り場まで、又は車から釣り場まで必要な道具類が多くなるとバッグに入れて持って行く。
これらのバッグは収納物が濡れないように蓋が付いており、持ち運び用にハンドルやショルダ−ベルト等が設けられているが釣り場までの距離が遠いと例えば特許文献１公報のようにキャリ−カ−トに載せて牽引していく等の手段が取られていた。
ところが、キャリ−カ−トでバッグを運ぶと便利であるが、様々な釣り場の状況に対応するためには常にキャリ−カ−トを用意しておかなければならず、また、その反対に路面が荒れているとキャリ−カ−トが思うように使えずかえって邪魔になることがあった。
【特許文献１】実開昭６２−６８５７３号公報
【発明の開示】
【発明が解決しようとする課題】
【０００３】
解決しようとする問題点は、釣り具を入れたバッグをキャリ−カ−トに載せて牽引していくと、バッグの運搬に便利であるが、様々な釣り場の状況に対応するためには常にキャリ−カ−トを用意しておかなければならず、また、その反対に路面が荒れているとキャリ−カ−トが思うように使えずかえって邪魔になることである。
【０００４】
本発明の目的は前記欠点に鑑み、釣り用バッグの底部にキャリ−カ−トのフレ−ムを着脱自在に取り付けて必要に応じて釣り用バッグを単体で持ち運び可能にした釣り用バッグを提供することである。
【課題を解決するための手段】
【０００５】
本発明の請求項１は、釣り用バッグの底部に凹部を設け、該凹部にキャリ−カ−トのフレ−ムが収納されるように前記釣り用バッグの底部に前記キャリ−カ−トを着脱自在に取り付けたことを要旨とするものである。
本発明の請求項２は、キャリ−カ−トのフレ−ムは伸縮自在に形成されていることを要旨とするものである。
本発明の請求項３は、釣り用バッグは、その上側を形成する容器体に対し、下側を形成する底部が別体に形成されて互いに止着されて形成されていることを要旨とするものである。
【発明の効果】
【０００６】
本発明により、釣り具を入れたバッグをキャリ−カ−トで牽引していくこと及びキャリ−カ−トを収納してバッグを持って運搬することができると共に、キャリ−カ−トが不要な時はこれを取り外して軽量化して釣り用バッグを持ち運ぶことができるため、釣り場の状況に応じて運搬形態を容易に選択できる。
またキャリ−カ−トは凹部に収納されているため破損が防止され収納時に邪魔にならない。
【発明を実施するための最良の形態】
【０００７】
釣り用バッグ１は、硬質合成樹脂で有底に形成された内側容器体２が硬質合成樹脂で有底に形成された外側容器体３の開口３ａの内側に嵌合されて外側容器体３の開口縁が内側容器体２の開口２ａを包み込むように形成されて固定されている。
内側容器体２は水漏れが防水されると共に底部２ｂの四隅は曲面で形成されて撒き餌が収納されても掬い出しが容易で四隅に餌が残らないように形成されている。
外側容器体３の開口３ａは蓋体１０で覆われ、外側容器体３の側部には手下げハンドル１１やショルダ−ベルト１２が取り付けられている。
外側容器体３の底部３ｂには長手方向に二条の溝からなる凹部３ｃ、３ｃと、長手方向の一方の端に凹部３ｃ、３ｃの一端と連通する凹部３ｄと、長手方向の他方の端に凹部３ｃ、３ｃの他端と連通する凹部３ｅが形成されている。
凹部３ｃ、３ｃの外側の底部３ｂの四箇所には硬質の足部１３が固定されている。
凹部３ｄと凹部３ｅの底部には夫々開口が外側に向いた固定係止具４、５が固定されている。
釣り用バッグ１の底部３ｂにはバッグを載せるフレ−ム１４、１５とこのフレ−ムに設けた握り部２０と車輪２３、２３を有する釣り用バッグを牽引するためのキャリ−カ−ト６が取り付けられている。
外側容器体３の底部３ｂの長手方向の二条の溝からなる凹部３ｃ、３ｃにはキャリ−カ−ト６の二本のフレ−ム１４、１５が納められる。
【実施例１】
【０００８】
以下、図示の実施例によって本発明を説明すると、図１から図９は第１実施例で、図１は釣り用バッグの幅広側の側面図、図２は釣り用バッグの幅短側の側面図と一部拡大側面図、図３は釣り用バッグの幅広側の断面側面図と（ａ）、（ｂ）は夫々一部拡大断面側面図、図４は釣り用バッグの幅短側の断面側面図と一部拡大断面側面図、図５は釣り用バッグとキャリ−カ−トの分解平面図、図６は釣り用バッグとキャリ−カ−トの分解斜視図、図７はキャリ−カ−トの（ａ）正面図で（ｂ）側面図、図８はキャリ−カ−トの（ａ）上側支持部材の平面図で（ｂ）可動係止部材の正面図で（ｃ）可動係止部材の側面図で（ｄ）上側支持部材と可動係止部材の組合せを示す正面図、図９はキャリ−カ−トに釣り用バッグが載せられて牽引状態の側面図である。
【０００９】
釣り用バッグ１は、硬質合成樹脂で有底筒状に形成された内側容器体２が硬質合成樹脂で有底筒状に形成された外側容器体３の開口３ａの内側に嵌合されて外側容器体３の開口縁が内側容器体２の開口２ａを包み込むように形成されて固定されている。
内側容器体２は防水性を有し水漏れが防水されると共に底部２ｂの四隅は曲面で形成されて撒き餌が収納されても掬い出しが容易で四隅に餌が残らないように形成されている。
外側容器体３の開口３ａは蓋体１０で覆われ、外側容器体３の側部には手下げハンドル１１やショルダ−ベルト１２が取り付けられている。
外側容器体３の底部３ｂには長手方向に二条の溝からなる凹部３ｃ、３ｃと、長手方向の一方の端に凹部３ｃ、３ｃの一端と連通する凹部３ｄと、長手方向の他方の端に凹部３ｃ、３ｃの他端と連通する凹部３ｅが形成されている。
凹部３ｃ、３ｃの外側の底部３ｂの四箇所には硬質の足部１３が固定されている。
凹部３ｄの両外側には底が曲面の凹部３ｆ、３ｆが形成されている。
凹部３ｄと凹部３ｅの底部には夫々開口が外側に向いた固定係止具４、５が固定されている。
外側容器体３の底部３ｂの長手方向の二条の溝からなる凹部３ｃ、３ｃにはキャリ−カ−ト６の二本のフレ−ム１４、１５が納められる。
【００１０】
キャリ−カ−ト６は二本の中空のフレ−ム１４、１５が下側支持部材７と上側支持部材８で並行に支持されている。
フレ−ム１４には中空のフレ−ム１６、１７が、フレ−ム１５には中空のフレ−ム１８、１９が夫々伸縮自在に嵌合されている。
フレ−ム１７とフレ−ム１９には握り部２０が固定されている。
握り部２０の中央には各フレ−ムを伸縮状態で係止する図示しない係止具を操作するボタン２１が設けられている。
下側支持部材７は図７のように、フレ−ム１４、１５の下端を嵌合固定する筒部７ａ、７ａと筒部７ａ、７ａの連結部７ｂと連結部７ｂにＬ字形の係止部７ｃが設けられている。
筒部７ａ、７ａと連結部７ｂには軸杆２２が挿通されて軸杆２２の両端に車輪２３、２３が固定されている。
係止部７ｃには図３（ｂ）のように、外側容器体３の底部３ｂに固定した固定係止具４が係止される。
【００１１】
上側支持部材８は図７、図８（ａ）のように、フレ−ム１４、１５の上端を嵌合固定する筒部８ａ、８ａと筒部８ａ、８ａの連結部８ｂと連結部８ｂに袋孔８ｃが形成されて図８（ｂ）、（ｃ）の可動係止部材９が図８（ｄ）のように挿入される。
袋孔８ｃの両端に丸孔８ｄ、８ｄと丸孔８ｄ、８ｄの下側に丸孔８ｄより大径の凹部８ｅ、８ｅが形成されている。
袋孔８ｃの中央突出部８ｆの両端に角孔８ｇ、８ｇが形成されている。
【００１２】
可動係止部材９は前側に向けて傾斜した壁面９ａと中間の壁面９ｂと後側の壁面からなる係止部９ｃで形成されている。
係止部９ｃは図３（ａ）のように、外側容器体３の底部３ｂに固定した固定係止具５が係止される。
前側に向けて傾斜した壁面９ａの先端の両端に下方に向けて延びた脚部９ｄ、９ｄが形成されて脚部９ｄ、９ｄの先に鈎部９ｅ、９ｅが形成されている。
脚部９ｄ、９ｄは内側に向けて撓み可能である。
鈎部９ｅ、９ｅは上側支持部材８の角孔８ｇ、８ｇの外縁に係脱可能に係止される。
中間の壁面９ｂの両端に下方に向けて支柱９ｆ、９ｆが形成されている。
支柱９ｆ、９ｆの外側には図示しないコイルスプリングが嵌合されて支柱９ｆ、９ｆの下側は上側支持部材８の丸孔８ｄ、８ｄに挿入されて下端にビス２４が止着されて抜け止めされる。
【００１３】
前記のように釣り用バッグ１はキャリ−カ−ト６を取り付けない時は、手下げハンドル１１やショルダ−ベルト１２で運搬され、キャリ−カ−ト６が取り付けられる時は、キャリ−カ−ト６の下側支持部材７の係止部７ｃに図３（ｂ）のように、外側容器体３の底部３ｂに固定した固定係止具４を係止させて外側容器体３の底部３ｂの二条の溝からなる凹部３ｃ、３ｃにキャリ−カ−ト６の二本の中空のフレ−ム１４、１５を納め、上側支持部材８の袋孔８ｃに嵌められている可動係止部材９を押し下げることで係止部９ｃが図３（ａ）のように、外側容器体３の底部３ｂに固定した固定係止具５に係止されて取り付けられる。
その後握り部２０を握って図９のように、各フレ−ムを伸長状態にして牽引される。
【００１４】
前記のように釣り用バッグが構成されると、釣り具を入れたバッグ１をキャリ−カ−ト６で牽引していくこと及びキャリ−カ−ト６を収納してバッグ１を持って運搬することができると共に、キャリ−カ−トが不要な時はこれを取り外して軽量化して釣り用バッグを持ち運ぶことができるため、釣り場の状況に応じて運搬形態を容易に選択できる。
またキャリ−カ−トは凹部３ｃに収納されているため破損が防止され収納時に邪魔にならない。
【実施例２】
【００１５】
図１０は第２実施例で、図１０は釣り用バッグの幅短側の断面側面図である。
【００１６】
第２実施例では、釣り用バッグ１が硬質合成樹脂で有底筒状に形成された底部３′の内側に柔軟性を有する合成樹脂で筒状に形成された外側体３″の下端が縫製等で固定され、外側体３″の中に硬質合成樹脂で有底筒状に形成された内側容器体２が嵌合されて外側体３″の開口縁が内側容器体２の開口２ａを包み込むように形成されて固定されている。
底部３′は内側容器体２や外側体３″等の容器体とは別体に形成されている。
底部３′には長手方向に二条の溝からなる凹部３ｃ、３ｃが形成されて凹部３ｃ、３ｃにはキャリ−カ−ト６の二本のフレ−ム１４、１５が納められる。
他の構成は前記第１実施例と略同一である。
【００１７】
前記説明では、釣り用バッグ１にキャリ−カ−ト６を取り付ける時、キャリ−カ−ト６の下側支持部材７の係止部７ｃに、外側容器体３の底部３ｂに固定した固定係止具４を係止させると共に、上側支持部材８の袋孔８ｃに嵌められた可動係止部材９を押し下げることで係止部９ｃに、外側容器体３の底部３ｂに固定した固定係止具５を係止させて取り付けたが、他の係止具で取り付けてもよい。
【産業上の利用可能性】
【００１８】
本発明は釣り用バッグ全般に利用できる。
【図面の簡単な説明】
【００１９】
【図１】第１実施例で、釣り用バッグの幅広側の側面図である。
【図２】同釣り用バッグの幅短側の側面図と一部拡大側面図である。
【図３】同釣り用バッグの幅広側の断面側面図と（ａ）、（ｂ）は夫々一部拡大断面側面図である。
【図４】同釣り用バッグの幅短側の断面側面図と一部拡大断面側面図である。
【図５】同釣り用バッグとキャリ−カ−トの分解平面図である。
【図６】同釣り用バッグとキャリ−カ−トの分解斜視図である。
【図７】同キャリ−カ−トの（ａ）正面図で（ｂ）側面図である。
【図８】同キャリ−カ−トの（ａ）上側支持部材の平面図で（ｂ）可動係止部材の正面図で（ｃ）可動係止部材の側面図で（ｄ）上側支持部材と可動係止部材の組合せを示す正面図である。
【図９】同キャリ−カ−トに釣り用バッグが載せられて牽引状態の側面図である。
【図１０】第２実施例で、釣り用バッグの幅短側の断面側面図である。
【符号の説明】
【００２０】
１  釣り用バッグ
３ｂ、３′  底部
３ｃ、３ｃ  凹部
６  キャリ−カ−ト
１４、１５、１６、１７、１８、１９  フレ−ム
【図１】
2006081525.tif 000003
【図２】
2006081525.tif 000004
【図３】
2006081525.tif 000005
【図４】
2006081525.tif 000006
【図５】
2006081525.tif 000007
【図６】
2006081525.tif 000008
【図７】
2006081525.tif 000009
【図８】
2006081525.tif 000010
【図９】
2006081525.tif 000011
【図１０】
2006081525.tif 000012